(57)【要約】【課題】緯糸測長貯留装置の制御部材の耐ノイズ性能及び耐振動性能を高める。【解決手段】支柱５のカバーを外し、本体６の空間部３１に制御部材３２、３３を固定し、電源線３６を空間部３１内に挿通し、制御部材３２、３３に接続する。制御部材３２、３３に接続する空間部３１内の配線３７〜４０は空間部３１から外部に引き出される。本体６の空間部３１に、制御部材３２、３３及び制御部材３２、３３間を接続する配線４１群を収納した後、カバーが螺子により本体６に固定される。制御部材３２、３３、配線３７〜４０及び配線４１群は本体６の空間部３１に収納する構成であるため、緯糸測長貯留装置に制御部材３２、３３を近付け、外部空間に露出している配線を短くすることができ、ノイズの影響を受け難くすることができる。また、制御部材３２、３３を緯糸測長貯留装置から分離して設けているため、緯糸測長貯留装置による振動の影響を無くすことができる。【選択図】図２
2014201863.tif 000002
【特許請求の範囲】
【請求項１】
織機の側方に、制御部材により電気的に制御される緯糸測長貯留装置の支柱を立設した織機における緯糸測長貯留装置の支持装置において、
前記支柱を、前記支柱の長手方向の面に開口した空間部を有する本体と前記空間部を覆うように前記本体に着脱可能に設けたカバーとで構成し、前記空間部に、前記制御部材を収納したことを特徴とする織機における緯糸測長貯留装置の支持装置。
【請求項２】
前記空間部に、前記制御部材と電源とを接続する電源線の一部及び前記制御部材と前記緯糸測長貯留装置とを接続する配線の一部を収納したことを特徴とする請求項１に記載の織機における緯糸測長貯留装置の支持装置。
【請求項３】
前記本体を断面コの字形の溝型鋼材で形成したことを特徴とする請求項１又は請求項２に記載の織機における緯糸測長貯留装置の支持装置。
【請求項４】
前記制御部材を前記空間部の壁面に直接取付けたことを特徴とする請求項３に記載の織機における緯糸測長貯留装置の支持装置。
【発明の詳細な説明】
【技術分野】
【０００１】
本願発明は、織機における緯糸測長貯留装置の支持装置に関する。
【背景技術】
【０００２】
例えば、特許文献１には、ジェットルームにおける緯糸測長貯留装置の支持機構が開示されている。特許文献１の支持機構は、３個の緯糸測長貯留装置を支柱に取付けてある。第１の緯糸測長貯留装置は支柱の上部に取付け金具を介して支持されている。第２の緯糸測長貯留装置は支柱に固定された支持バーの一端部に載置して支持され、第３の緯糸測長貯留装置は支持バーの他端部に載置して支持されている。
【０００３】
支柱の横には、制御コンピュータを収容した箱体が設置されている。箱体の上面に形成された傾斜面には、入力操作部及び表示部が設けられている。箱体に収容されている制御コンピュータは、第１〜第３の緯糸測長貯留装置にそれぞれ備えられたモータ、緯糸解舒検出器及び緯糸係止ピンを作動する電磁ソレノイドに配線により接続されている。
【０００４】
特許文献２には、マイクロプロセッサを有する電子速度制御器により制御されるモータを内蔵し、モータにより糸の巻付け要素が駆動される織機又は編機の給糸装置が開示されている。電子速度制御器は、給糸装置のハウジングブラケットに設けられ、給糸装置のモータと巻糸を監視する検出器アセンブリとに接続して信号を伝達し、糸の巻付け要素を設定された回転位置に調整するように制御している。
【先行技術文献】
【特許文献】
【０００５】
【特許文献１】特開２００５−１２６８３８号公報
【特許文献２】特表２００５−５０４１９０号公報
【発明の概要】
【発明が解決しようとする課題】
【０００６】
特許文献１は、箱体内の制御コンピュータと緯糸測長貯留装置に備えられたモータ、緯糸解舒検出器及び緯糸係止ピンを作動する電磁ソレノイドとを接続する配線が長くなり、ノイズの影響を受け易い。このため、ノイズにより制御コンピュータの制御不良を生じ、緯糸測長貯留装置が誤動作する恐れがある。
【０００７】
特許文献２のように、給糸装置のハウジングブラケットに設けたマイクロプロセッサを有する電子速度制御器には、給糸装置のモータ及び巻付け要素の回転により生じる振動が直接伝達される。このため、電子速度制御器は、振動の影響を受け、巻付け要素の回転制御における誤動作や、マイクロプロセッサの損傷等を引き起こす恐れがあり、強固な防振対策を施す必要がある。また、給糸装置には、全ての制御部品を設置する余裕が無いため、特許文献１のように、一部の制御部品を収容する独立した制御ボックスを設置する必要がある。この場合には、制御ボックスと給糸装置とを接続する配線が長くなり、特許文献１と同様にノイズの影響を受け易いという問題を生じる。
【０００８】
本願発明は、緯糸測長貯留装置の制御部材の耐ノイズ性能及び耐振動性能を高めることを目的とする。
【課題を解決するための手段】
【０００９】
請求項１は、織機の側方に、制御部材により電気的に制御される緯糸測長貯留装置の支柱を立設した織機における緯糸測長貯留装置の支持装置において、前記支柱を、前記支柱の長手方向の面に開口した空間部を有する本体と前記空間部を覆うように前記本体に着脱可能に設けたカバーとで構成し、前記空間部に、前記制御部材を収納したことを特徴とする。
【００１０】
請求項１によれば、制御部材を緯糸測長貯留装置の支柱内部に収納し、緯糸測長貯留装置と制御部材とを繋ぐ配線が短いため、配線におけるノイズの影響を受け難く、緯糸測長貯留装置の制御不良の発生を防止することができる。また、制御部材は緯糸測長貯留装置と分離して設置されるため、緯糸測長貯留装置の作動中における振動の影響を無くすことができ、特別な防振対策を必要としない。
【００１１】
請求項２は、前記空間部に、前記制御部材と電源とを接続する電源線の一部及び前記制御部材と前記緯糸測長貯留装置とを接続する配線の一部を収納したことを特徴とする。請求項２によれば、外部に露出し、乱雑な状態になりやすい配線を空間部内に収納することができる。このため、織機の側方における乱雑さが無くなり、外観品質を高めることができる。
【００１２】
請求項３は、前記本体を断面コの字形の溝型鋼材で形成したことを特徴とする。請求項３によれば、支柱を構成する本体は市販品を利用して製作することができ、支柱の製作が容易であるとともにコストダウンにも貢献することができる。
【００１３】
請求項４は、前記制御部材を前記空間部の壁面に直接取付けたことを特徴とする。請求項４によれば、緯糸測長貯留装置の制御部材が発生する熱を鋼材で製作された支柱に放熱することができ、特別な放熱手段を設ける必要が無い。
【発明の効果】
【００１４】
本願発明は、緯糸測長貯留装置の制御部材の耐ノイズ性能及び耐振動性能を高めることができる。
【図面の簡単な説明】
【００１５】
【図１】緯糸測長貯留装置の支持装置を示す正面図である。
【図２】支持装置を構成する本体の内部を示す正面図である。
【図３】（ａ）は図２に示した本体の側面図、（ｂ）は（ａ）のＡ−Ａ線断面図である。
【図４】本体のカバーを示し、（ａ）はカバーの正面図、（ｂ）はカバーの側面図である。
【発明を実施するための形態】
【００１６】
本願発明の実施形態を図１〜図４に基づいて説明する。図１において、エアジェット織機１の側方の床面２上には、支持装置３が配置されている。支持装置３は、床面２上に置かれた設置台４に立設した支柱５を有する。支柱５は、床面２側から上方に延びる長尺の本体６と本体６の前面に複数の螺子７により着脱可能に設けたカバー８から構成されている。支柱５の下端はブラケット９に固定され、ブラケット９が設置台４上にボルト１０で固定されることにより、支柱５が立設されている。
【００１７】
支柱５の上端側の両側面には、それぞれ２個の取付けアーム１１、１２、１３、１４がボルトにより固定され、各取付けアーム１１、１２、１３、１４に緯糸測長貯留装置１５、１６、１７、１８がボルトにより固定され、支持されている。各緯糸測長貯留装置１５、１６、１７、１８は、それぞれモータ１９、２０、２１、２２、緯糸解除センサー２３、２４、２５、２６及び緯糸係止ピン（図示せず）を作動する電磁ソレノイド２７、２８、２９、３０を備えている。
【００１８】
支柱５の本体６は、図２及び図３に示すように、支柱５の前面に、上下の長手方向に開口した空間部３１を形成するように、断面コの字形の溝型鋼材で形成されている。本体６の両側面４２、４６には、空間部３１の開口側に近い位置に、複数の貫通した孔５１が穿設されている。本体６の空間部３１には、緯糸測長貯留装置１５、１６、１７、１８を電気的に制御する制御部材３２、３３が収納され、制御部材３２、３３は空間部３１を形成する壁面の１つである奥壁面３４に螺子３５により直接取付けられている。なお、空間部３１内には、制御部材３２、３３の取付け位置よりも離れた２箇所の位置に、位置決め部材５０、５０が設けられている。位置決め部材５０、５０は、空間部３１の開口側にあたる本体６の端面との間に、カバー８の厚みに相当する隙間を空けて本体６に固定されている（図３（ａ）参照）。
【００１９】
また、本体６の空間部３１内には、制御部材３２、３３と電源（図示せず）とを接続する電源線３６の一部及び制御部材３２、３３と緯糸測長貯留装置１５、１６、１７、１８とを接続する配線３７、３８、３９、４０の一部が収納されている。また、制御部材３２、３３間を接続する配線４１群が収納されている。
【００２０】
電源線３６は、本体６の下端側の側面４２に穿設された貫通孔４３を通して空間部３１内に挿通されている。緯糸測長貯留装置１５、１７と接続する配線３７、３９は、緯糸測長貯留装置１５、１７に近い位置で、本体６の側面４２に穿設された貫通孔４４、４５を通して空間部３１内に引き通されている。また、緯糸測長貯留装置１６、１８と接続する配線３８、４０は、緯糸測長貯留装置１６、１８に近い位置で、本体６の反対側の側面４６に穿設された貫通孔４７、４８を通して空間部３１内にそれぞれ引き通されている。
【００２１】
本体６の空間部３１の開口を覆うカバー８は、図４に示すように、鉤型に屈曲された頭部４９を有する平板材で形成されている。カバー８の長さは、本体６の上下の長手方向と同じ寸法で形成され、カバー８の幅は、本体６の空間部３１に挿入可能な寸法で形成されている。カバー８は、本体６の空間部３１に挿入された時、空間部３１内の上下２箇所に設けられた位置決め部材５０、５０（図３参照）と接触して位置決めされ、カバー８の頭部４９は本体６の上端を覆うことができる。また、カバー８の両側面には、それぞれ４箇所に螺子孔５２が穿設されている。
【００２２】
本実施形態では、立設された支柱５のカバー８を外し、本体６の空間部３１に制御部材３２、３３を固定し、電源線３６を貫通孔４３から空間部３１内に挿通し、制御部材３２、３３に接続する。制御部材３２、３３に接続する空間部３１内の配線３７、３８、３９、４０をそれぞれ貫通孔４４、４５、４７、４８から外部に引き出す。本体６の空間部３１に、制御部材３２、３３及び制御部材３２、３３間を接続する配線４１群を収納した後、カバー８が空間部３１に挿入され、位置決め部材５０、５０に当接した状態で、複数の螺子７を本体６の複数の孔５１及びカバー８の複数の螺子孔５２にそれぞれ通して締付け、カバー８を本体６に固定する。
【００２３】
本体６にカバー８を固定することにより支柱５が完成し、図１に示すように、支柱５に固定された取付けアーム１１、１２、１３、１４にそれぞれ緯糸測長貯留装置１５、１６、１７、１８を載置し、ボルトにより固定する。続いて、支柱５から引き出してある配線３７、３８、３９、４０を、それぞれモータ１９、２０、２１、２２、緯糸解除センサー２３、２４、２５、２６及び電磁ソレノイド２７、２８、２９、３０に接続し、緯糸測長貯留装置１５、１６、１７、１８の設置が完了する。
【００２４】
制御部材３２、３３、配線３７、３８、３９、４０及び配線４１群は本体６の空間部３１に収納された構成であるため、支柱５の下方に制御ボックスを設けてそこから配線する場合に比べて、制御部材３２、３３、配線３７、３８、３９、４０及び配線４１群を緯糸測長貯留装置１５、１６、１７、１８により近付けることができる。このため、本実施形態では、外部空間に露出している配線がより短くなり、ノイズの影響を受け難くすることができる。また、制御部材３２、３３を緯糸測長貯留装置１５、１６、１７、１８から分離して設けているため、緯糸測長貯留装置１５、１６、１７、１８による振動の影響を無くすことができる。しかも、支柱５と緯糸測長貯留装置１５、１６、１７、１８との距離が短いため、配線３７、３８、３９、４０を短くすることができ、コストダウンにも効果がある。
【００２５】
また、制御部材３２、３３を収容するための専用の制御ボックスが不要となり、制御ボックスから緯糸測長貯留装置１５、１６、１７、１８に接続するために外部に露出し、乱雑な状態になりやすい配線を空間部３１内に収納することができる。このため、エアジェット織機１の側方における乱雑さが無くなり、外観品質を高めることができる。
【００２６】
本願発明は、前記した実施形態の構成に限定されるものではなく、本願発明の趣旨の範囲内で種々の変更が可能であり、次のように実施することができる。
【００２７】
（１）支柱５の空間部３１を形成する本体６は、断面コの字形に限らず、弧状、台形状あるいは多角形状であっても構わない。また、空間部３１の開口方向は、実施形態のように、エアジェット織機１の反対側に限らず、支柱５の長手方向の面であればどの方向であってもよい。
（２）支柱５の本体６は、溝型鋼材のような金属性材料に限らず、樹脂製材料により構成しても良い。なお、本体６を樹脂製材料により構成した場合、本体６の空間部３１に金属製の取付け部材を設け、制御部材３２、３３は取付け部材に固定することにより、放熱効果を得ることができる。
（３）本願発明は、エアジェット織機１に限らず、ウォータジェット織機、レピア織機あるいはグリッパー織機等、他の織機において実施することができる。
【符号の説明】
【００２８】
１  エアジェット織機
２  床面
３  支持装置
４  設置台
５  支柱
６  本体
８  カバー
１１〜１４  取付けアーム
１５〜１８  緯糸測長貯留装置
１９〜２２  モータ
２３〜２６  緯糸解除センサー
２８〜３０  電磁ソレノイド
３１  空間部
３２、３３  制御部材
３６  電源線
３７〜４１  配線
４３〜４５、４７、４８  貫通孔
４９  頭部
５０  位置決め板
【図１】
2014201863.tif 000003
【図２】
2014201863.tif 000004
【図３】
2014201863.tif 000005
【図４】
2014201863.tif 000006